(57)【要約】【課題】  無線システムにおいて制御ユニットの一斉通信処理の手順を簡単にし、更に一斉通信のグループ番号に追加や削除などの変更があった場合でも、容易に変更ができるようにする。【解決手段】  Ｓ２０１にて一斉通信が行われると、呼制御エンジン１２２を経由してＰＴエンジン１２３に通知される。ＰＴエンジン１２３が一斉通知を受信すると、Ｓ２０２にて呼制御エンジン１２２に「強制切断要求」を送信する。Ｓ２０３にて呼制御エンジン１２２は「強制切断要求」を受信すると、個別通信呼の強制切断を行う。Ｓ２０４にてＰＴエンジン１２３は呼制御エンジン１２２が個別通信を切断している間にグループ通信呼の強制切断を行う。Ｓ２０５にてＰＴエンジン１２３に「強制切断要求応答」を送信する。ＰＴエンジン１２３がグループ通信呼の強制切断を終了し、且つ「強制切断要求応答」を受信すると、Ｓ２０６にて一斉通信を開始する。【選択図】図２
2010232991.tif 000002
【特許請求の範囲】
【請求項１】
個別通信、グループ通信、及び一斉通信を制御する回線制御ユニットを備えた無線システムであって、
個別通信の強制切断を行う前記回線制御ユニットの呼制御手段と、
グループ通信の強制切断を行う前記回線制御ユニットのＰＴ手段と、
回線制御ユニットが一斉通信の通知を受信したときに、前記ＰＴ手段から前記呼制御手段に対して、強制切断要求通知を送信する強制切断要求通知送信手段と、
前記呼制御手段から前記ＰＴ手段に対して強制切断要求通知応答を送信する強制切断要求通知応答送信手段と、
を備えたことをことを特徴とする無線システム。
【発明の詳細な説明】
【技術分野】
【０００１】
本発明は、無線システムに係り、特に無線システムの通信処理における強制切断制御に関する。
【背景技術】
【０００２】
複数の端末(移動局、固定局など)間で無線通信を行うときに、個々の端末同士の通信(以下、個別通信という)、端末をグループに分けグループに属する端末に対する通信(以下、グループ通信)、全ての端末に対する通信(以下、一斉通信)を制御する自営の制御ユニットにおいて、個別通信やグループ通信を行っているときに、端末から一斉通信の要求があると個別通信やグループ通信を強制的に中止して一斉通信を行っている。このため、このように一斉通信に切り替えるときに、無線システムの制御ユニットは強制的に個別通信やグループ通信の切断を行っていた。
【０００３】
図４に従来の実施例に係る無線システム１０の構成図を示す。従来の実施の形態である無線システム１０は、図４に示すように複数の端末１００、複数の基地局１１０、及び回線制御ユニット１２０から構成されている。また回線制御ユニット１２０は、Ａ−ＧＷ１２１、呼制御エンジン１２２、及びプレストーク制御エンジン１２３(以下、ＰＴエンジン１２３という)を備えている。Ａ−ＧＷ１２１は、ゲートウェイであり複数の基地局１１０を収容し、端末１００とのアクセスリンクの確立または解放の制御を行う機能を有している。呼制御エンジン１２２は、ＳＩＰ(Session Initiation Protocol)メッセージをルーティングする機能を有している。ＰＴエンジン１２３は、端末１００ごとの設定情報を記憶しており、この設定情報に基づきプレストーク通信の接続制御を行い、且つグループメンバの呼び出し、送信権の管理、ＰＴ(Press Talk)音声パケットの複製と転送を行う機能を有している。
【０００４】
一斉通信の場合は、全ての端末又は特定の一斉通信の対象となる複数の端末に対し一斉通信を行うために一斉通信用のグループ番号が予め決められている。このような構成の無線システム１０における一斉通信受信時の処理時には、回線制御ユニット１２０が一斉通信の要求を受信すると、一斉通信の処理を行う。ここで、一斉通信のグループ番号は、一斉通信の対象となる端末の変更等により別のグループ番号に変更される場合もある。また、システムの納入先である顧客などの使用目的に応じても一斉通信のグループ番号は変更される場合がある。このため、一斉通信のグループ番号が変わるために一斉通信時の制御処理の変更が必要になる。回線制御ユニット１２０における一斉通信受信時の処理シーケンスを図５に示す。図５に示す番号順に、一斉通信処理の手順を以下説明する。まずＳ５０１において、端末１００が一斉通信の要求を基地局１１０を介して回線制御ユニット１２０に送信すると、回線制御ユニット１２０の呼制御エンジン１２２とＰＴエンジン１２３が基地局１１０から一斉通信の要求を受信する。次にＳ５０２において呼制御エンジン１２２は、この通知が一斉通信の要求であるかをグループ番号から判定する。同様にＳ５０３においてＰＴエンジン１２３は、この通知が一斉通信の要求であるかをグループ番号から判定する。呼制御エンジン１２２が一斉通信の要求であると判定すれば、Ｓ５０４において呼制御エンジン１２２は個別通信のテーブルを参照し全ての個別通信呼の切断処理(通話タイマの停止及び通話の切断処理)を行う。ＰＴエンジン１２３が一斉通信の要求であると判定すれば、Ｓ５０５においてＰＴエンジン１２３はグループ通信のテーブルを参照し通信呼の切断処理(通話タイマの停止及び通話の切断処理)を行う。呼制御エンジン１２２が全ての個別通信呼の切断処理を終了すると、Ｓ５０６において個別通信呼の切断完了通知をＰＴエンジン１２３に送信する。ＰＴエンジン１２３がグループ通信呼の切断処理を終了し、且つ呼制御エンジン１２２から個別通信呼の切断完了通知を受信すると、Ｓ５０７においてＰＴエンジン１２３は一斉通信を開始する。
尚、無線システムにおける一斉通信方法に関する技術としては、下記特許文献１がある。ここで、従来技術のシステムでは、呼制御エンジン及びＰＴエンジンそれぞれ一斉通信の要求の受信を行い、グループ番号から一斉通信の要求であるかを判断しているのは、システムの構成によっては個別通信のみのシステムも存在し、そのような場合にはＰＴエンジンの構成は備えないため、呼制御エンジンの機能としてグループ番号から一斉通信の要求であるかを判断させるようにしておく必要があるためである。
【先行技術文献】
【特許文献】
【０００５】
【特許文献１】特開２００８−３４９１５
【発明の概要】
【発明が解決しようとする課題】
【０００６】
図５の従来の回線制御ユニット１２０における一斉通信受信時の処理シーケンスにおいて、次のような問題があった。
図５のＳ５０２とＳ５０３に示すように、呼制御エンジン１２２とＰＴエンジン１２３の各々が、グループ番号から一斉通信の要求であるか否かを判定する必要がある。
また、図５のＳ５０６に示すように、呼制御エンジン１２２が全ての個別通信呼の切断処理が完了した後に、呼制御エンジン１２２から個別通信呼の完了通知をＰＴエンジン１２３に送信する処理を行うため、全ての個別通信呼の切断処理（通信タイマの停止及び通話の切断処理）に時間がかかる場合には、一斉通信を行うまでに時間がかかってしまう。
また、一斉通信のグループ番号の追加や変更があった場合は、呼制御エンジン１２２側とＰＴエンジン１２３側の両方に対して変更が必要である。
【０００７】
本発明はこのような状況に鑑みてなされたものであり、上記課題を解決できる無線システムを提供することを目的とする。
【課題を解決するための手段】
【０００８】
本発明の無線システムは、個別通信、グループ通信、及び一斉通信を制御する回線制御ユニットを備えた無線システムであって、個別通信の強制切断を行う前記回線制御ユニットの呼制御手段と、グループ通信の強制切断を行う前記回線制御ユニットのＰＴ手段と、回線制御ユニットが一斉通信の通知を受信したときに、前記ＰＴ手段から前記呼制御手段に対して、強制切断要求通知を送信する強制切断要求通知送信手段と、前記呼制御手段から前記ＰＴ手段に対して強制切断要求通知応答を送信する強制切断要求通知応答送信手段と、を備えたことを特徴としている。
【発明の効果】
【０００９】
本発明は、無線システムにおいて制御ユニットが一斉通信に切り替えるときの一斉通信処理の手順を簡単にすることができ、更に一斉通信のグループ番号に追加や削除などの変更があった場合でも、ＰＴエンジン側の変更だけで対応することができるので、呼制御エンジン側の変更が不要となる。
また本発明では、呼制御エンジンが全ての個別通信呼の切断処理（通話タイマの停止及び通話の切断処理）が完了した後に、呼制御エンジンから個別通信呼の切断完了通知をＰＴエンジンに送信する処理を行わず、呼制御エンジンは強制切断要求通知をＰＴエンジンから受信すると通話制限タイマ「０」（タイムアウト）として強制的に個別通信呼の切断を行い、ＰＴエンジンに強制切断要求通知応答をするため、個別通信呼の切断処理に係る時間を短縮することができる。
【図面の簡単な説明】
【００１０】
【図１】本発明の実施形態に係わる呼制御エンジンとＰＴエンジンの起動時における一斉通信の強制切断予約シーケンス図である。
【図２】本発明の実施形態に係わる一斉通信受信時の処理シーケンスを示す図である。
【図３】本発明の実施形態に係る呼制御エンジンの切断処理詳細シーケンス図である。
【図４】従来の実施例に係る無線システムの構成図である。
【図５】従来の実施の形態に係わる一斉通信受信時の処理シーケンスを示す図である。
【発明を実施するための形態】
【００１１】
以下、本発明の実施の形態について図面を参照して説明する。
（実施の形態）
本発明の実施形態に係る無線システム１０の構成図は、図４に示す従来の実施例に係る無線システム１０の構成図に同じである。図１は、本発明の実施形態に係る呼制御エンジン１２２とＰＴエンジン１２３の起動時の一斉通信における強制切断予約シーケンス図である。図２は、本発明の実施形態に係る回線制御ユニット１２０が一斉通信受信時に実行する処理のシーケンス図である。図３は、本発明の実施形態に係る呼制御エンジン１２２の切断処理の詳細シーケンス図である。
【００１２】
図１に示す本発明の実施形態に係る一斉通信における呼制御エンジン１２２とＰＴエンジン１２３の起動時の強制切断予約シーケンスについて以下説明する。回線制御ユニット１２０の電源投入、または回線制御ユニット１２０に対してリセットボタンや処理によりリセットが行われると、Ｓ１０１において回線制御ユニット１２０が呼制御エンジン１２２を起動し、Ｓ１０２において回線制御ユニット１２０がＰＴエンジン１２３を起動する。呼制御エンジン１２２が起動されると、Ｓ１０３において呼制御エンジン１２２からＰＴエンジン１２３に一斉通信における「強制切断予約（ＳＵＢＳＣＲＩＢＥ）」を送信する。ＰＴエンジン１２３は、「強制切断予約（ＳＵＢＳＣＲＩＢＥ）」を受信すると、Ｓ１０４において呼制御エンジン１２２に「強制切断予約応答」を送信する。ＰＴエンジン１２３にこの強制切断予約を行うことで、以降ＰＴエンジン１２３に一斉通信が通知されると、ＰＴエンジン１２３は後述する図２のＳ２０２に示す強制切断要求通知を呼制御エンジン１２２に対して送信する。
【００１３】
図２に示す本発明の実施形態に係わる一斉通信受信時の処理シーケンスについて以下説明する。Ｓ２０１において、端末１００から一斉通信が行われると、回線制御ユニット１２０の呼制御エンジン１２２を経由してＰＴエンジン１２３に通知される。ＰＴエンジン１２３が一斉通知を受信すると、一斉通信であるかをグループ番号から判定し、一斉通信であれば、Ｓ２０２において呼制御エンジン１２２に「強制切断要求通知（ＮＯＴＩＦＹ）」を送信する。呼制御エンジン１２２は「強制切断要求（ＮＯＴＩＦＹ）」を受信すると、Ｓ２０３において全ての個別通信を終了させるために個別通信呼の強制切断を行う。ＰＴエンジン１２３は呼制御エンジン１２２が個別通信を切断している間に、Ｓ２０４においてグループ通信を終了させるためにグループ通信呼の強制切断を行う。呼制御エンジン１２２は全ての個別通信呼の強制切断を終了すると、Ｓ２０５においてＰＴエンジン１２３に「強制切断要求通知（ＮＯＴＩＦＹ）応答」を送信する。ＰＴエンジン１２３がグループ通信呼の強制切断を終了し、且つ呼制御エンジン１２２から「強制切断要求通知（ＮＯＴＩＦＹ）応答」を受信すると、Ｓ２０６においてＰＴエンジン１２３は、一斉通信を開始する。
【００１４】
図３に示す本発明の実施形態に係る呼制御エンジン１２２の切断処理詳細シーケンスについて以下説明する。図３において、呼制御エンジン１２２にはＰＴエンジン１２３との送受信を行う強制切断機能部１２２ａと、呼制御エンジン１２２のタイマ処理を行うタイマ機能部１２２ｂを備えている。Ｓ３０１において、ＰＴエンジン１２３から呼制御エンジン１２２の強制切断機能部１２２ａに「強制切断要求通知（ＮＯＴＩＦＹ）」を送信する。呼制御エンジン１２２の強制切断機能部１２２ａは、ＰＴエンジン１２３から「強制切断要求通知（ＮＯＴＩＦＹ）」を受信すると、Ｓ３０２において、タイマ機能部１２２ｂに対して「強制タイムアウト要求」を送信する。一方、Ｓ３０３において、ＰＴエンジン１２３は通話制限タイマを「０」（タイムアウト）とすることでグループ通信の切断処理を行う。また、呼制御エンジン１２２のタイマ機能部１２２ｂは「強制タイムアウト要求」を受信すると、Ｓ３０４において通話制限タイマを「０」（タイムアウト）とすることで全ての個別通信の切断処理を行う。呼制御エンジン１２２のタイマ機能部１２２ｂは、全ての個別通信の切断処理を行うと、Ｓ３０５において強制切断機能部１２２ａに「強制タイムアウト応答(切断完了通知)」を送信する。呼制御エンジン１２２の強制切断機能部１２２ａは「強制タイムアウト応答(切断完了通知)」を受信すると、Ｓ３０６において「強制切断要求通知（ＮＯＴＩＦＹ）応答」をＰＴエンジン１２３に送信する。
【００１５】
以上のように、本実施の形態によれば、制御ユニットにおける一斉通信受信時に呼制御エンジン１２２とＰＴエンジン１２３の各々が、グループ番号から一斉通信の要求であるかを判定する必要がなくなる。また、呼制御エンジン１２２が全ての個別通信呼の通話制限タイマ「０」（タイムアウト）とすることで切断処理を行い、強制切断要求通知（ＮＯＴＩＦＹ）に対する応答を返送するので、従来のように個別通信のテーブルを参照し、全ての個別通信呼の切断処理のために通話タイマの停止及び通話の切断処理が完了してから切断完了通知をＰＴエンジン１２３に送信するようなことはしないため、短時間で一斉通信の開始処理を行うことが可能となる。また、ＰＴエンジン１２３においてもグループ通話呼の通信制限タイマを「０」（タイムアウト）とすることで切断処理を行うため、グループ通信呼の切断処理も短時間で行うことができる。また、一斉通信のグループ番号の追加や変更があった場合は、ＰＴエンジン１２３のみ変更することで対応が可能となる。
【００１６】
本発明の実施の形態においては、一斉通信の判定や一斉通信をＰＴエンジン１２３で行っているが、一斉通信の判定や一斉通信を呼制御エンジン１２２で行うようにすることも可能である。この場合も、一斉通信のグループ番号に追加や削除などの変更があった場合、呼制御エンジン側のみ変更するだけで対応することができる。
【００１７】
以上、具体的な実施の形態により本発明を説明したが、上記実施の形態は本発明の例示であり、この実施の形態に限定されないことは言うまでもない。
【００１８】
以上をまとめると、本発明は次のような特徴を有する。
(１)．本発明の無線システムは、個別通信、グループ通信、及び一斉通信を制御する回線制御ユニットを備えた無線システムであって、個別通信の強制切断を行う前記回線制御ユニットの呼制御手段と、グループ通信の強制切断を行う前記回線制御ユニットのＰＴ手段と、回線制御ユニットが一斉通信の通知を受信したときに、前記ＰＴ手段から前記呼制御手段に対して、強制切断要求通知を送信する強制切断要求通知送信手段と、前記呼制御手段から前記ＰＴ手段に対して強制切断要求通知応答を送信する強制切断要求通知応答送信手段と、を備えたことを特徴としている。
(２)．（１）の無線システムは、前記呼制御手段と前記ＰＴ手段を起動するときに、前記呼制御手段から前記ＰＴ手段に強制切断予約を送信する強制切断予約送信手段と、前記ＰＴ手段が強制切断予約を受信すると前記呼制御手段に強制切断予約応答を送信する強制切断予約応答手段と、を備えたことを特徴としている。
(３)．（１）と（２）の無線システムは、前記呼制御手段が前記個別通信の強制切断を行うときに、前記個別通信の通話制限タイマをリセットすることを特徴としている。
(４)．（１）から（３）の無線システムは、前記ＰＴ手段が前記グループ通信の強制切断を行うときに、前記グループ通信の通話制限タイマをリセットすることを特徴としている。
(５)．本発明の無線システムは、前記ＰＴ手段が前記強制切断要求通知応答を受信し、且つ前記グループ通信の強制切断が終了すると前記一斉通信を開始することを特徴としている。
(６)．本発明の無線システムの強制切断制御方法は、個別通信、グループ通信、及び一斉通信を制御する回線制御ユニットを備えた回線制御ユニットの強制切断制御方法であって、回線制御ユニットが一斉通信の通知を受信したときに、前記回線制御ユニットのＰＴエンジンから呼制御エンジンに対して強制切断要求通知を送信する強制切断要求通知送信工程と、個別通信の強制切断を行う前記呼制御エンジンの個別通信強制切断工程と、グループ通信の強制切断を行う前記ＰＴエンジンのグループ通信強制切断工程と、前記呼制御エンジンから前記ＰＴエンジンに対して強制切断要求通知応答を送信する強制切断要求通知応答送信工程と、を備えたことを特徴としている。
【産業上の利用可能性】
【００１９】
本発明は、無線システムに好適であるが、無線システムに限られるものではなく、通信を行っているシステム一般に適用可能である。
【符号の説明】
【００２０】
１０・・・・・・・・無線システム
１００・・・・・・・端末
１１０・・・・・・・基地局
１２０・・・・・・・回線制御ユニット
１２１・・・・・・・Ａ−ＧＷ
１２２・・・・・・・呼制御エンジン
１２２ａ・・・・・・強制切断機能部
１２２ｂ・・・・・・タイマ機能部
１２３・・・・・・・ＰＴエンジン
【図１】
2010232991.tif 000003
【図２】
2010232991.tif 000004
【図３】
2010232991.tif 000005
【図４】
2010232991.tif 000006
【図５】
2010232991.tif 000007